(57)【要約】  ＨＶＡＣシステムのディフューザを通る気流を測定するための装置は、ディフューザから吐出される気流が送られてくるようにディフューザに隣接して配置されたフードを含む。このフードは、気流を分流して複数の吹き出しチャネルを通して送るように構成されている。センサプローブが、各吹き出しチャネルを通る気流を測定する。
2018511790.tif 000002
【特許請求の範囲】
【請求項１】
ＨＶＡＣシステムのディフューザを通る気流を測定するための装置であって、
前記ディフューザから吐出される気流が送られてくるように前記ディフューザに隣接して配置され、前記気流を分流して複数の吹き出しチャネルを通して送るように構成されたフードと、
前記吹き出しチャネルの各々を通る前記気流を測定するためのセンサプローブと、
を備える、装置。
【請求項２】
前記フードは、前記気流を混合して前記吹き出しチャネル全体で均一に分布させるための複数の乱流生成構造体を備える、請求項１に記載の装置。
【請求項３】
前記複数の乱流生成構造体は、タービュレータを備える、請求項２に記載の装置。
【請求項４】
乱流生成構造体は各々、鋸歯状の列に配置された複数の歯状フィンを備える、請求項２に記載の装置。
【請求項５】
前記乱流生成構造体は、前記吹き出しチャネルの入口に隣接して配置されている、請求項２に記載の装置。
【請求項６】
前記フードは、前記気流を分流して、前記気流を前記吹き出しチャネルに集中させる内壁を備える、請求項１に記載の装置。
【請求項７】
前記内壁は、山のある構成であり、前記吹き出しチャネルに向かって一点に集中するように傾斜している、請求項６に記載の装置。
【請求項８】
前記フードは、気流が吐出される開放空間を画定する上部を有し、前記内壁および前記吹き出しチャネルは前記上部よりも下流に配置されている、請求項６に記載の装置。
【請求項９】
前記フードは、前記分流された気流が送られる４つの四分割部を備え、前記四分割部は各々、前記吹き出しチャネルのうちの１つを含み、前記フードはさらに、前記四分割部を画定しやすくするとともに前記フード内の前記気流を分流して前記気流を前記吹き出しチャネルに集中させる内壁を備える、請求項１に記載の装置。
【請求項１０】
前記四分割部は各々、前記気流を混合して前記吹き出しチャネル全体で均一に分布させるための少なくとも１つの乱流生成構造体を備える、請求項９に記載の装置。
【請求項１１】
前記乱流生成構造体は、前記吹き出しチャネルの入口に隣接して配置されている、請求項１０に記載の装置。
【請求項１２】
前記フードの上部に配置され、前記気流を流線形にして前記吹き出しチャネルのほうに送る平面をさらに備える、請求項１に記載の装置。
【請求項１３】
前記平面は、前記上部の体積を減らすことで、前記フードの前記上部における前記気流の渦を防止しやすくする、請求項１２に記載の装置。
【請求項１４】
前記平面は、計装機器および電子機器を覆うカバーの上部である、請求項１２に記載の装置。
【請求項１５】
前記計装機器は、圧力トランスデューサおよび温度トランスデューサのうちの少なくとも１つを備える、請求項１４に記載の装置。
【請求項１６】
前記センサプローブに質問をして、前記センサプローブを用いて得られた測定データを含む無線信号を送信するための電子機器と、
前記無線信号を受信し、前記測定データを処理して、前記ディフューザについての気流測定データを提供するためのスマートデバイスと、
をさらに備える、請求項１に記載の装置。
【請求項１７】
前記スマートデバイスは、前記気流測定データを処理するためのアプリケーションがインストールされ、かつ、前記測定データおよび前記ＨＶＡＣシステムに関する情報を表示するためのグラフィカルユーザインターフェースを含む、スマートフォンおよびタブレットのうちの１つを備える、請求項１６に記載の装置。
【請求項１８】
前記フードの裏側の中央に位置し、ユーザーが前記ディフューザに隣接する所望の位置まで前記フードを移動させるために操作することができるポールを受けるようになっているポール装着用構造体をさらに備える、請求項１に記載の装置。
【請求項１９】
前記ポール装着用構造体は、前記ポールが前記フードに対して枢動できるようにするためのスイベル機構を備える、請求項１８に記載の装置。
【請求項２０】
前記ポールは、前記フードの重量の少なくとも一部を支える表面に対して前記ポールの基部を位置決めしたまま前記ディフューザに隣接する前記フードを位置決めしやすくするために、前記ポールの長さを調節できるようにする入れ子式の構造を有する、請求項１８に記載の装置。
【請求項２１】
前記ポールは、前記フードを移動させるために前記ユーザーが握ることのできる持ち手を備え、前記持ち手は、指で動かしてシステム電子機器を作動させるための無線信号を提供すことのできる引き金を備える、請求項２０に記載の装置。
【請求項２２】
前記センサプローブは、ホットポイント風速計センサを備える、請求項１に記載の装置。
【請求項２３】
ＨＶＡＣシステムのディフューザを通る気流を測定するための方法であって、
前記ディフューザから吐出される前記気流を集め、
前記気流を分流し、
前記分流した気流を、複数の吹き出しチャネルを通して送り、
前記吹き出しチャネルの各々を通る前記気流を測定することを含む、方法。
【請求項２４】
前記気流を乱し、前記気流を混合して前記吹き出しチャネル全体で均一に分布させることをさらに含む、請求項２３に記載の方法。
【請求項２５】
前記ディフューザに近い領域で前記気流を流線形にし、前記気流を分流するための構造体に向けて前記気流を送ることをさらに含む、請求項２３に記載の方法。
【発明の詳細な説明】
【技術分野】
【０００１】
関連出願
【０００２】
本出願は、２０１５年２月２６日にファイルされた米国特許仮出願第６２／１２１，２２２号の優先権の利益を主張するものであり、その主題を全体として本明細書に援用する。
【０００３】
本開示は、気流速度の検知に関する。特に、本開示は、商業ビルまたは類似の構造物における暖房・換気・空調（ＨＶＡＣ）システムにおけるディフューザからの気流を測定するために使用される気流フード、直読式フードまたは風量計に関する。
【背景技術】
【０００４】
商業ビルなどの構造物用のＨＶＡＣシステムを設計する建築家や技術者は、それらのシステムで当該構造物内にいる人々に一貫して信頼できるレベルの快適さを提供することに手を尽くしている。ＨＶＡＣの設計者は、ＨＶＡＣユニットの大きさを慎重に調整して、適切な量の調和空気を供給できるようにしている。また、調和空気を適切な流量と比率で構造物の様々な室や他のエリアに分配するためのダクトも設計する。さらに、設計者は、構造物内にいる人々にとって望ましいレベルの快適さになるように、吐出流が通るディフューザ、レジスタまたはターミナル（以下、「ディフューザ」と総称する）の配置間隔と構成とを選択し、調和空気を室／エリアに分配して分散させている。
【０００５】
この設計に不可欠なのは、調和空気を、設計者の指定する所定の流量または所定範囲内の流量である体積流量で各ディフューザから分散させる必要性である。設計者らの指定した流量から外れると、室内またはエリアの温度がコントローラ／サーモスタットで設定した目標温度から外れ、建物にいる人々の快適性が損なわれる可能性がある。
【０００６】
新しい商用ＨＶＡＣシステムの性能検証をする際、このシステムでは、システム設計者の指定する体積流量またはその範囲内の体積流量で調和空気が各ディフューザから確実に供給されるようにバランシングをする必要がある。また、ＨＶＡＣの定期的なシステムメンテナンスの一部として、あるいは建物内のフロアプランを再設定する際にも、バランシングの必要が生じる可能性がある。
【０００７】
商用ＨＶＡＣシステムのバランシングは取るに足らないことではなく、特定の条件を満たしたＨＶＡＣ技術者のサービスを必要とする。商用ＨＶＡＣダクトの配管は複雑であり、多くの枝管またはゾーンがあって各々が多数のディフューザまたはノードを持つ場合がある。各ディフューザには特定のノードを通る流れを調整するための独自のダンパーが備わっているだけでなく、システム内のさまざまなゾーンへの気流を制御するのに使用できるダンパーもダクト内にある。どのゾーンまたはノードへのダンパーであっても、それを調整するとシステム内の他のすべてのゾーンおよびノードを通る気流に影響する背圧が必然的に変化することを考えれば、バランシング作業の複雑さは明らかになる。
【０００８】
調和空気を所定のパターンでビル空間に拡散させて送るために、商用ＨＶＡＣシステムの天井据付式ディフューザは、限られた数の構成の中からシステム設計者によって選択される。ディフューザの構成には選択肢となる多くの異なるものがあるが、ディフューザデザインの大部分は、商用吊天井のタイルに共通の標準的な２４インチ×２４インチの設置面積内におさまるか、それに基づいている。
【０００９】
国家環境バランシング委員会（Ｎａｔｉｏｎａｌ  Ｅｎｖｉｒｏｎｍｅｎｔａｌ  Ｂａｌａｎｃｉｎｇ  Ｂｏａｒｄ「ＮＥＢＢ」）は、さまざまな機能の中でも特に、個人および企業に、ＨＶＡＣシステムの性能検証、テスト、調整およびバランシングを保証する国際認定協会である。認定に加えて、ＮＥＢＢは機器の仕様と作業手順の基準も提供している。機器側では、ＮＥＢＢから仕様書の出ている機器は直読式フードと呼ばれ、天井据付式ディフューザを通る気流を測定するのに用いられる。本明細書では、最も普通に用いられる形態の直読式フード装置を説明するのに、より一般的な語である「気流フード」を使用する。当業者であれば、本明細書で用いる「直読式フード」および「気流フード」が本質的に同義であること、すなわち、本明細書に記載の気流フードは、ＮＥＢＢの仕様の範囲内の直読式フードとして特徴付けられることを、理解できよう。
【００１０】
気流フードは、ＨＶＡＣ技術者が商用ＨＶＡＣシステムの天井据付式ディフューザを通って吐出される気流を測定するのに使用する計器である。気流フードは、ディフューザ上の適所に保持されるように設計されている。このフードは、ディフューザから吐出される空気を集めて方向を変えるダクトとして機能する。気流フードは、調和空気の体積流量を測定するために調和空気が導かれるスロートを持つ収縮拡大ノズルの構成を有する。スロートにある平均化ピトー管式マノメータで、差圧が測定される。
【発明の概要】
【発明が解決しようとする課題】
【００１１】
従来の気流フードに用いられる平均化ピトー管式マノメータは一般に、スロートを横断する方向に並んでアレイ状に配置された複数の管を含む。これらの管は、単一のマノメータに流体接続された２本のチャネル（上流側の圧力を平均化するためのものと下流側の圧力を平均化するためのもの）を画定する。管の周囲には孔が間隔をあけて配置され、これらの孔はフード内で上流方向と下流方向に面して、上流方向に面した孔は上流チャネルに、下流方向に面した孔は下流チャネルに接続されている。このため、フード内の気流によって高圧側の全圧が上流チャネルで平均化され、低圧側の静圧は下流チャネルで平均化されて、ピトー管のアレイに速度圧が生じる。つまり、スロートの断面を横断する方向に延びるアレイの周囲に孔が間隔をおいて配置されるため、これらの管で検知される速度圧がスロート内の平均速度になるということである。この平均速度圧を利用して、フードを通る平均空気速度を計算することができ、そこから体積流量を計算することができる。
【００１２】
平均化ピトー管アレイマノメータは、誤差の影響を受けやすい。平均化ピトー管で測定される差圧は、多くの孔での空気速度の変動に対して非常に敏感であり、それによっていくつかの開口の圧力が落ちる場合がある。これは例えば、流れの集まり具合が非常に不均一で、流れが比較的集中しているエリアまたは比較的流れが少ないエリアたまたまピトー管の孔のエリアに位置する場合に生じることがある。どちらの場合も、測定される差圧は、正確な気流測定値にはならない。
【００１３】
ＨＶＡＣディフューザの特定の構成とは関係なく、従来の気流フードは、吐出される空気を集め、気流フードを通る体積気流の計算に用いる差圧が測定されるスロートに向けて空気の方向を変える。しかしながら、このように空気を集めて方向を変えると、フードを通る気流量が低下し、それによってＨＶＡＣシステムに背圧が生じる。このように気流フードによって背圧が生じると、結果的にディフューザを通る気流が減少する。これをチェックせずにおくと、気流フードの気流の示度に対応する誤差が発生する。気流フードで測定される差圧には、必然的に水柱（ＩＷＣ）の最大０．００１インチの分解能が必要となり得ることを考えると、これらの誤差は重要なものになり得る。
【００１４】
さらに、従来の気流フードは一般に、断面が開放された状態であり、フードを通って送られる空気は、物理学的に決まるどのような流路とパターンにも自由に従う。このため、気流フードを通るバルクフローは、フードの横断面の全体で均一なわけではなく、流量測定の精度が損なわれる可能性がある。フード内で流れを方向転換すると、フードのいくつかの領域、例えばフードの中央の領域に向かって再循環パターンを発生させることができるが、大部分の流れはフードの他の領域に沿って、例えば側面に沿って送られる。このため、従来の気流フードでは、フードの横断面の全体でより混合された均一な流れのパターンになる混合が不足してしまうことがある。
【００１５】
さらに、気流フードを通る流れの不均一性は、空気を吐出するディフューザの構成次第で変わることになる。従来の気流フードの平均化ピトー管マノメータは、フードの横断面内で位置が決まっているため、測定される正味圧力の精度は実質的に速度プロファイルの変化とともに変化することがあり、これらの測定値からの流量計算値は信頼できず、偶然に任されている。上記に鑑みて、従来の気流フードが、ディフューザ構成の違いがゆえに生じる変動と流れの不均一性に起因する不正確の影響を被っていることは、容易に理解できよう。
【課題を解決するための手段】
【００１６】
ＨＶＡＣシステムのディフューザを通る気流を測定するための装置は、ディフューザから吐出される気流が送られてくるようにディフューザに隣接して配置されたフードを含む。フードは、気流を分流して複数の吹き出しチャネルを通して送るように構成されている。センサプローブは、各吹き出しチャネルを通る気流を測定する。
【００１７】
一態様によれば、センサプローブは、ホットポイント風速計センサを含んでもよい。
【００１８】
別の態様によれば、フードは、気流を混合して吹き出しチャネル全体で均一に分布させるための複数の乱流生成構造体を含んでもよい。乱流生成構造体は、タービュレータを含んでもよい。乱流生成構造体は各々、鋸歯状の列に配置された複数の歯状フィンを含んでもよい。乱流生成構造体は、吹き出しチャネルの入口に隣接して配置されてもよい。
【００１９】
別の態様によれば、フードは、気流を分流して、気流を吹き出しチャネルに集中させる内壁を含んでもよい。内壁は、山のある構成で、吹き出しチャネルに向かって一点に集中するように傾斜していてもよい。フードは、気流が吐出される開放空間を画定する上部を含んでもよい。内壁および吹き出しチャネルは、上部よりも下流に配置されてもよい。
【００２０】
別の態様によれば、フードは、分流された気流が送られる４つの四分割部を含んでもよい。四分割部は各々、吹き出しチャネルのうちの１つを含んでもよい。フードはさらに、四分割部を画定しやすくするとともにフード内の気流を分流して気流を吹き出しチャネルに集中させる内壁を含んでもよい。
【００２１】
別の態様によれば、四分割部は各々、気流を混合して吹き出しチャネル全体で均一に分布させるための少なくとも１つの乱流生成構造体を含んでもよい。乱流生成構造体は、吹き出しチャネルの入口に隣接して配置されてもよい。
【００２２】
別の態様によれば、装置は、フードの上部に配置され、気流を流線形にして吹き出しチャネルのほうに送る平面をさらに含んでもよい。この平面は、上部の体積を減らすことで、フードの上部における気流の渦を防止しやすくすることができる。また、この平面は、計装機器および電子機器を覆うカバーの上部であってもよい。計装機器は、圧力トランスデューサおよび温度トランスデューサのうちの少なくとも１つを含んでもよい。
【００２３】
別の態様によれば、装置は、センサプローブに質問をして、センサプローブを用いて得られた測定データを含む無線信号を送信するための電子機器を含んでもよい。また、装置は、無線信号を受信し、測定データを処理して、ディフューザについての気流測定データを提供するためのスマートデバイスを含んでもよい。スマートデバイスは、気流測定データを処理するためのアプリケーションがインストールされ、かつ、測定データおよびＨＶＡＣシステムに関する情報を表示するためのグラフィカルユーザインターフェースを含む、スマートフォンおよびタブレットのうちの１つを含んでもよい。
【００２４】
さらなる態様によれば、装置は、フードの裏側の中央に位置するポール装着用構造体を含んでもよい。ポール装着用構造体は、ユーザーがディフューザに隣接する所望の位置までフードを移動させるために操作することができるポールを受けるようになっていてもよい。ポール装着用構造体は、ポールがフードに対して枢動できるようにするためのスイベル機構を含んでもよい。ポールは、フードの重量の少なくとも一部を支える表面に対してポールの基部を位置決めしたままディフューザに隣接するフードを位置決めしやすくするために、ポールの長さを調節できるようにする入れ子式の構造を有してもよい。ポールは、フードを移動させるためにユーザーが握ることのできる持ち手を含んでもよい。持ち手は、指で動かしてシステム電子機器を作動させるための無線信号を提供すことのできる引き金を含んでもよい。
【００２５】
ＨＶＡＣシステムのディフューザを通る気流を測定するための方法は、ディフューザから吐出される気流を集め、この気流を分流し、分流した気流を、複数の吹き出しチャネルを通して送り、吹き出しチャネルの各々を通る気流を測定することを含む。
【００２６】
一態様によれば、本方法は、気流を混合して吹き出しチャネル全体で均一に分布させることも含む。
【００２７】
別の態様によれば、本方法は、ディフューザに近い領域で気流を流線形にし、気流を分流するための構造体に向けて気流を送ることも含む。
【図面の簡単な説明】
【００２８】
本発明は、同様の参照符号が同様の要素を示す添付図面の図において限定ではなく一例として示されている。
【図１】図１は、本発明によるＨＶＡＣディフューザから吐出される気流を測定するためのシステムの斜視図である。
【図２】図２は、図１に示すシステムの一部の斜視上面図である。
【図３】図３は、図２に示すシステムから一部を取り除いた部分の斜視上面図である。
【図４】図４は、図２に示すシステムの一部の斜視底面図である。
【図５】図５は、図２に示すシステムの一部の側面図である。
【図６】図６は、図２に示すシステムの一部の平面図である。
【図７】図７は、図２に示すシステムの異なる部分の斜視図である。
【図８】図７は、図２に示すシステムの異なる部分の斜視図である。
【図９】図７は、図２に示すシステムの異なる部分の斜視図である。
【図１０】図１０は、図１に示すシステムの実装例を示す斜視図である。
【図１１】図１１Ａから図１１Ｊは、図１から図１０のシステムを使用して気流を測定できるＨＶＡＣディフューザの例を示す。
【図１２】図１２Ａから図１２Ｄは、図１から図１０のシステムの動作と従来技術の気流フードの動作を比較した例を示す。
【発明を実施するための形態】
【００２９】
図１を参照すると、ＨＶＡＣシステム１４のディフューザ１２を通る気流を測定するためのシステム１０は、風量計５０と、この風量計を装着できるポール２０と、を含む装置４８を含む。図１に示すように、ＨＶＡＣシステム１４は、一般にオフィスビルなどの商業ビルで見られる商用ＨＶＡＣシステムとすることができ、ディフューザ１２は、それらの構造物のオフィス空間で一般的な、全体を１６で示す吊天井構造で使用されるものである。したがって、ディフューザ１２の設置面積を、例えば商用吊天井１６の一般的なグリッド構造に見合う２４×２４インチにすることができる。ディフューザ１２には、ＨＶＡＣシステム１４からダクト４０およびフード４２を通って調和空気を供給可能である。
【００３０】
風量計５０は、ディフューザ１２の構成（例えば、２４×２４インチの正方形の構成）と一緒に動作するようにされた、端から端まで箱形の矩形に構成されたフード５２を含む。ポール２０は、ディフューザから吐出された空気がすべて風量計５０を通って流れるように、風量計のフード５２を、ディフューザの周囲に沿って、ディフューザ１２にまっすぐかつ天井１６に対してはめるために、３０でおおまかに示すユーザーが風量計のフード５２を移動しやすくする。この位置で、ユーザー３０は、例えばハンドル２２の引き金２４によって、システム１０を起動することができる。
【００３１】
引き金２４は、ブルートゥースまたはシングルモードの無線接続などの無線通信によって、風量計５０の計装機器および電子機器を起動する。計装機器および電子機器は、少なくとも一部が風量計のフード５２の中に隠れているため、図１には示されていない。計装機器および電子機器は、（繰り返すが、例えばブルートゥースによって）スマートフォンなどのスマートデバイス２６に無線送信される気流測定データを取得する。スマートデバイス２６には、風量計５０から受信した測定データを使用して、ディフューザ１２から吐出される空気の体積流量を計算するか、他の方法で決定するようにされたアプリケーション（「ＨＶＡＣバランシングアプリケーション」）がインストールされている。
【００３２】
このプロセスを、ＨＶＡＣシステムの所与の部分のすべてのディフューザ１２、例えば所与の建物、室、ゾーン、枝管などについて繰り返すことができる。このプロセスがすべてのディフューザ１２について完了すると、測定された流量を所望の流量または指定された流量と比較して、調整が必要か否かを決定することができる。どのように調整するかは、様々な方法で決定することができる。例えば、建物のバランシングを専門とするＨＶＡＣ技術者などの熟練したユーザーが調整の仕方を決定することができる。ただし、これは非常に厄介なものになることがある上、特に多数のディフューザが関与する場合に問題を起こしやすい。このため別の例として、バランシング対象となるＨＶＡＣシステムまたはその一部に関する適切な情報を考慮に入れると、スマートデバイス２６にインストールしたＨＶＡＣバランシングアプリケーションに、測定される流量に基づいてディフューザごとに適切な調整を決定する部分を含めるようにすればよい。
【００３３】
システム１０は、ユーザー３０にとって簡単に使いやすくなるように設計されている。天井据付式のＨＶＡＣディフューザ１２が多数あって、キュービクルまたは他の家具の上などアクセスしにくい場所に配置される可能性がある。このため、ユーザー３０が、測定値を取りながら手作業でシステムを適所に配置して保持する場合がある（図１参照）。商業ビルには、バランシングが必要な数百台のディフューザ１２が設置される場合があるため、これはときに面倒で骨の折れる作業である。システム１０は、これらの懸案事項を念頭において構築されている。
【００３４】
風量計のフード５２は、ポリプロピレンなどの軽量ポリマー材料で形成された成形薄肉構造で構成される。このため、風量計５０の構造を３ポンド以下など比較的軽量にすることができ、これは従来の風量計の重量と比べると半分未満になり得る。
【００３５】
ポール２０は、カーボンファイバまたはアルミニウムなどの軽量材料で構成したものであってもよい。ユーザー３０が、風量計５０を高さの異なる天井まで移動させ、家具またはキャビネットなどの障害物の上または周囲まで移動させることが可能なように、ポール２０は、その長さが（ロック２８によって入れ子式に）調整可能である。持ち手２２は、引き金を触って操作しやすい位置にした状態で、ユーザー３０が快適かつ便利に握ることのできるものである。また、ポール２０の基部３２は、ユーザーの快適さと使いやすさを増すための人間工学的な構造を有してもよい。ユーザー３０が風量計５０を使用時の所望の位置まで操作しやすくするために、風量計は、フード５２の下側に、中央に位置するスイベルコネクタ３６を含む。スイベルコネクタ３６（図５）は、ユーザーが異なるアプローチラインでディフューザ１２にアクセス可能なように、風量計のフード５２に対するポールの位置を操作できるようにする。
【００３６】
また、好都合なことに、システム１０は、ユーザー３０がポール２０を用いて手作業で風量計５０を適所に保持する必要がないように構成されている。風量計のフード５２は極めて軽量の構造であり、なおかつポール２０が入れ子式に調節可能であるため、ポールを風量計のフード５２の下に配置して長さを調節し、床１８または机、キャビネットまたはテーブルなどの家具の表面といった硬い面で風量計５０を支えられるようにすることができる。さらに、この機能を容易にするために、ポール２０の基部３２に、支えとなる表面との良好な摩擦「グリップ」をしやすくするリブ付きまたは刻みゴム構造などの構造のついた端部またはキャップ３４を含んでもよい。
【００３７】
システムを床１８と天井１６との間で支えることを、図１の２０’に破線で概略的に示す。この使用法では、ユーザー３０はシステム１０の全重量を支える必要がなくなる。空間または家具がゆえに、ポール自体で風量計５０を支えられるだけの十分な角度でポール２０を配置できないとしても、ユーザーが例えば片手でシステム１０を安定させている間、ポール２０は依然として重量の一部を支えることでユーザー３０の負荷をいくらか軽減する。
【００３８】
図２から図６を参照すると、フード５２は、互いに交差して天井１６（図１参照）に対して配置される周端６４を画定する４枚の交差する側壁６２を持つ、ほぼ正方形で箱形の上部６０を有する。側壁６２は、風量計フード５２の内部空間６６も画定する。上部６０の内部空間６６は開放された状態であり、フード５２の下流にある下部７０につながっている。これはそれぞれ四分割部７２に分割され、各々の構成および構造は同一である。
【００３９】
風量計フード５２は、風量計５０の計装機器および回路の構成要素（図３参照）の少なくとも一部を隠して保護するとともに、風量計フード５２の上部６０で気流を送りやすくするためのカバー１５０を含む。
【００４０】
各四分割部７２は、一部が、それぞれ一対の内壁８０によってフード５２の中で内部的に画定されている。内壁８０は各々、傾斜したすなわち角度のある構成であり、フード５２の内部空間６６内にルーフ状のピッチを形成している。それぞれの四分割部７２内で、内壁８０は互いに直交し、交点に谷８２を画定している。隣接する四分割部７２の交差する内壁８０は、交点に山８４を画定する。山８４は各々、それぞれの側壁６２の１つから山が互いに交差するフード５２の内部空間６６の中心に向かって、垂直に延びている。谷８２は各々、その四分割部７２を画定する山８４の交差する一対を二等分する。谷８２もまた、フード５２の内部空間６６の中心に向かって延在し、そこで交差する。
【００４１】
各四分割部７２において、交差する内壁８０および交差する側壁６２のそれぞれの部分は、四分割部の入口部８６を画定する。また、各四分割部７２は、（図２から図６に示すように）その四分割部の入口８６から下方に延在する吹き出しチャネル９０を含む。吹き出しチャネル９０は、ほぼ管状の矩形形状を有する。吹き出しチャネル９０は各々、２つの側面が側壁６２の交差部分によって画定され、２つの側面が側壁からフード５２の中心に向かってほぼ垂直に内側に延在する、交差するチャネル壁９２によって画定される。上端において、チャネル壁９２は、その四分割部７２に付随する交差する内壁８０の下縁部９４（図４参照）と交差する。
【００４２】
各四分割部７２はまた、吹き出しチャネル９０の口またはその近傍で四分割部の入口部８６と嵌合係合するように配置された、タービュレータ１００の形態の乱流生成構造体を含む。タービュレータ１００は、例えば、スナップフィット接続でフード５２に固定することができる。タービュレータ１００は、吹き出しチャネル９０の口の周囲に沿って、各四分割部の入口部８６の周囲の少なくとも一部に沿って延在している。図７には、タービュレータ１００の一例が示されている。例示的な実施形態において、タービュレータ１００は、直角に交差する一対の内側脚部１０２と一対の外側脚部１０４とを含む１つの部品である。内側脚部１０２は、四分割部７２の交差する内壁８０の勾配とかみ合ってそれに追従し、外側脚部１０４は四分割部７２のほぼ垂直に延びる側壁６２とかみ合ってこれに追従する（例えば、図６参照）。
【００４３】
タービュレータの各脚部１０２，１０４は、それぞれの脚の長さに沿って鋸歯状の列に配置された、複数の歯形フィン１０６を含む。各脚部１０２，１０４は、フィン１０６の上側の列１１０と下側の行１１２とを含む。上側の列と下側の列行のフィン１０６は互い違いに配置され、互いに逆方向に延びている。外側脚部１０４のフィン１０６は、脚部の端から端まで間隔をあけて設けられている。内側脚部１０２では、フィン１０６は、脚部各々の長さのほぼ半分まで間隔をあけて設けられ、半分は隣接する外側脚部１０４と交差している。内側脚部１０２のフィン１０６のない部分１０８は、内壁８０と滑らかに合流する、滑らかな輪郭形状の上側縁を有する。
【００４４】
各フィン１０６は、幅広の基部から尖った先端に向かって先細の形状になっている。フィンの上側の列１１０と下側の列行１１２の両方のフィン１０６は、脚部１０２，１０４の長さ方向にみてフィンの幅に沿って先細になる。さらに、上側の列１１０のフィン１０６も壁６２，８０に向かって先細になり、これに当接する。
【００４５】
便宜上ひっくり返したカバー１５０を示す図８を参照すると、カバーは、平らな正方形の上壁１５２と、その周囲に沿って上壁から垂直に延びる４つの側壁１５４とを有するほぼ正方形の構成を有する。上壁１５２の中央には円筒状の電子機器カバー壁１６０があり、上壁から垂直に延びている。複数の補強リブ１６２が、壁１６０から半径方向外方に側壁１５４まで延在している。
【００４６】
側壁１５４は各々、中央に配置されたほぼＶ字形のノッチ１７０を含み、ノッチ１７０は、各四分割部７２の交差する内壁８０の形状と一致する輪郭を有する。したがって、内壁８０はノッチ１７０と嵌合可能であり、これによって風量計フードと組み合わさったときに、カバー１５０を支えやすくなる。これらのノッチ１７０の外側で、側壁１５４は、複数の歯１７４を画定する複数の歯形ノッチを含む下縁部１７２を有する。歯１７４は、下縁部１７２の長さに沿って延在し、タービュレータ１００上のフィン１０６の下側の列行１１２と同様の構成および形状を有する。カバー１５０の側壁１５４上の歯１７４の位置および間隔は、タービュレータ１００の内側脚部１０２のフィン１０６を含まない部分１０８と一致する。
【００４７】
また、風量計５０は、周囲の室内条件とディフューザ１２を通る気流に関する状態を測定するための計装機器および電子機器を含む。風量計５０は、風量計フード５２の各四分割部７２を通る気流を検知するための気流検知用プローブ１２０を含む。気流プローブ１２０は、各吹き出しチャネル９０内に配置される。図２から図６の例示的な実施形態において、プローブ１２０は、壁が交差する位置でチャネル壁９２を通って吹き出しチャネル９０に入る。これを容易にするために、吹き出しチャネル９０は、プローブ１２２の嵌合部分と相互に係止される部分を有するプローブ支持部１２２にはまるようになっている。プローブ１２０は、プローブ支持部１２２を通って延在し、交差するチャネル壁９２を通って吹き出しチャネル９０に入る。プローブ１２０は、交差壁９２を二等分する角度で延在し、プローブの端部１２４が吹き出しチャネル９０内で中心にかつ適切な向きに配置されるように、プローブ支持部１２２によって適所に保持される。
【００４８】
気流検知用プローブ１２０は、様々な構成を有することができる。本明細書で開示される例示的な実施形態では、プローブ１２０は、ホットポイント風速計気流検知用プローブを備える。モノメータープローブなどの別のプローブ構成を使用してもよい。
【００４９】
図９を参照すると、カバー１５０の下のフード５２の上部６０の中央には、各四分割部を流れる空気と、この気流が吐出される周囲空気との圧力差を検知するために、四分割部７２に１つずつ、４つの差圧トランスデューサ１３０が設けられている。この目的で、各圧力トランスデューサ１３０は、その圧力トランスデューサがある四分割部７２の吹き出しチャネル９０内の空気圧と流体連通する圧力孔と、風量計フード５２の外側の空気圧と（例えば、管を介して）流体連通する孔とを有する。
【００５０】
また、風量計５０の計装機器は、風量計を流れる空気の温度を測定するための温度検知用の構成要素も含む。温度検知用の構成要素は、例えば抵抗性、例えば熱電対型の要素であってもよい。気流プローブ１２０がホットポイント型の風速計を含む一例によれば、風速計自体の抵抗素子を用いて気流の温度を測定することもできる。あるいは、１つ以上の別個の温度センサを使用してもよい。
【００５１】
圧力トランスデューサ１３０および気流プローブ１２０は、カバー中央下の風量計フード５２に取り付けられた電子ユニット１３２に電気的に接続されている。電子ユニット１３２は、圧力トランスデューサ１３０を実装できる回路基板１３４を含む。あるいは、圧力トランスデューサは、風量計５０の構造体に実装されてもよい。電子ユニット１３２は、プロセッサ、通信（例えば、ブルートゥース）コンポーネント、信号調整コンポーネント、電源および接地回路、通信バス、本明細書に記載するような動作に必要な他のコンポーネントなどの様々な電子コンポーネント１３６を含む。圧力トランスデューサ１３０および気流プローブ１２０は、例えば、回路基板１３４に実装されたソケットと相互接続されるケーブルを介して電子ユニット１３２に接続することができる。また、風量計１５０は、同じくカバー１５０の下に配置されたバッテリパックなどの電源１４０も含む。電源は、例えば、電子コンポーネント１３６が実装された側と同じまたは反対側で回路基板１３４に取り付けることができる。
【００５２】
図１および図１０を参照すると、動作時に、ユーザー３０は、ポール２０を使用してディフューザ１２の外側に風量計５０を配置する。風量計フード５２の上部６０は、ディフューザ１２から吐出される空気を集め、これを四分割部７２に送る。各四分割部７２に送られた空気は、吹き出しチャネル９０を通り、センサプローブの上を通過する。ユーザー３０は、ハンドル２２の引き金２４を用いて風量計５０を作動させ、センサプローブ１２０によって流量が測定される。
【００５３】
電子ユニット１３２は、プローブ１２０から得られる示度を無線でスマートデバイス２６に送信する。スマートデバイス２６は、示度を受信して処理し、示度に関するデータをユーザーが解釈できるように表示する。各センサプローブ１２０の示度は、そのプローブのある吹き出しチャネル９０を通る流れに関連するものであるが、気流全体が吹き出しチャネルに分配されるため、風量計５０を通る総流量を計算するには個々の吹き出しチャネルを通る流れを合計する必要がある。
【００５４】
各吹き出しチャネル９０内のセンサプローブ１２０の位置は固定されているため、正確な流量測定値が得られるようにするには、各吹き出しチャネルを通るバルクフローができるだけ均一になることが重要である。これは、４つの四分割部７２に対する気流の分配が均等ではない場合にも当てはまる。各吹き出しチャネル９０を通るバルクフローが、そのチャネル内で均一に分布している限り、その四分割部の流量測定値は正確になり、計算されるディフューザ１２の総流量もしかりである。
【００５５】
従来の市販のＨＶＡＣの天井据付式ディフューザは、様々な構成をとることができる。これらのディフューザ構成の例を、図１１Ａから図１１Ｊに示し、以下の表にまとめておく。
【表１】
2018511790.tif 000003
【００５６】
どのような風量計であっても、ディフューザの構成によって気流のパターンを決めやすくなる。また、気流が風量計全体に均等に分配されるか不均等に分配されるかということも、ディフューザの構成によって決まる。図１１Ａから図１１Ｊに示すディフューザ設計はいずれも、吐出される空気を外方向下向きに送る。ディフューザ１２ａから１２ｃ、１２ｇ、１２ｊは、空気を４方向に送り、理論的には風量計のフードの方向に対して均等空気を送ることになる。ディフューザ１２ｄから１２ｆは、空気を３方向に送るため、風量計のフードに空気を不均等に送ることになる。ディフューザ１２ｈは空気を２方向に、１２ｉは１方向に送り、同じく風量計フードに空気を不均等に送ることになる。
【００５７】
試験の結果、従来の風量計のフード設計では、フードを通るバルクフローがフードの縁部または側壁に沿って集中する傾向があるのに対し、空気の一部が主にフードの上部の領域でフードの中心に向かって再循環することがわかっている。ディフューザの構成（上記参照）によっては、バルクフローが側壁に沿って集中するだけでなく、側壁に沿って不均一に集中することもある。従来の風量計フードにおける流量測定装置の位置は、フード内の定位置に配置されているため、従来の風量計の精度がいくぶん偶然に任されていることは容易にわかる。これを知っていれば、従来の風量計設計の精度と信頼性が問題になることを、当業者なら理解することができる。これらの問題を考慮する必要がある。
【００５８】
本発明によれば、風量計５０は、これらの欠点を克服するのに役立つようにされている。そのために、風量計５０は、ディフューザ１２からの気流を四分割部７２に分配して、分配された流れをより管理しやすい空間に閉じ込めるように構成されている。各四分割部７２内のタービュレータ１００は、気流を乱して混合し、各吹き出しチャネル９０を通る均一なバルクフローを発生させる。これが達成されると、各吹き出しチャネル９０での気流測定値が正確になり、ディフューザを通る総気流の正確な計算値が与えられることになる。
【００５９】
例えば、図１０に示す例では、ディフューザ１２は３円錐４方向の構成であり、風量計フード５２の４つの側壁６２のすべてに気流が送られる。このため、バルク気流がチェックされないまま放置されると、側壁６２に沿って吹き出しチャネル９０に向かって流れる傾向がある。同時に、内壁８０の一点に向かった傾斜のある構成がゆえ、側壁６２に沿って流れない気流の一部が集まり、吹き出しチャネル９０に向かって集中的に流れることになる。しかしながら、気流が吹き出しチャネル９０に向けて送られると、タービュレータ１００が気流の一部を方向転換し、吹き出しチャネル全体でより均一に混合して分布させる。気流はチャネル９０全体で均一に分布するため、センサプローブ１２０がサンプリングする少量の気流が、吹き出しチャネル９０を通る気流の正確な測定値となる可能性が非常に高い。
【００６０】
ディフューザ１２からの気流を４つの四分割部７２に分配し、各四分割部内の気流をタービュレータ１００で混合する組み合わせにすると、この結果を得やすくなる。風量計５０の精度は、風量計を気流中に配置することで生じる空気抵抗の大きさすなわち、背圧に影響される可能性がある。概して、風量計５０の存在がゆえに生じる背圧は低いほど良い。しかしながら、風量計５０を通る気流の均一性を改善すべく流れを混合すると、必然的に風量計による背圧が生じる。従来の風量計フードで１本の流路を通る流れを適切に混ぜ合わせるには、かなりの混合が必要であり、それでも流れの分布が均一にならないことがある。実際には、従来の風量計を通る流れを均一にするのに必要な流れの混合度合いになると、望ましくない高い背圧が生じるほど大きな乱気流が発生する可能性がある。
【００６１】
好都合なことに、本発明の風量計フード５２は、まず気流をより管理しやすい空間の四分割部７２に分配することによって、この問題を回避している。四分割部７２では、吹き出しチャネル９０全体で気流を適切に混合および分配するのに必要な乱流が最小限に抑えられる。したがって、タービュレータのフィン１０６の大きさとチャネル９０内での気流の乱れを最小限に保つことができ、これが風量計５０によって生じる背圧を最小にするのに役立つ。
【００６２】
さらに、本発明の風量計５０では従来の風量計と計算の手法が基本的に異なるため、この改善された機能が容易になる。従来の風量計フードは、フード全体に分布する多数の要素から得られる気流測定値の平均をとっている。しかしながら、風量計５０では、分割されたフードの各チャネルで測定される個々の気流を合計している。このため、本発明の風量計５０は、従来の風量計ほど、ディフューザから風量計フード内に向かう気流に依存しない。
【００６３】
ディフューザ構成の違い（図１１Ａから図１１Ｊ参照）は、正確な気流測定値を提供する風量計５０の機能にほとんど影響しないか全く影響しない。従来の風量計構成では、ディフューザの均等ではない構成が原因で風量計フードのある領域が過負荷になり、バルクフローが集中して発生することがあるが、それは平均化測定で克服される場合もあればされない場合もある。これは、本発明の風量計５０の場合には該当しない。
【００６４】
風量計５０は四分割部７２に分割され、フード全体の流れの平均化をとるのではなく各四分割部で測定される気流を合計することに頼っているため、特定のディフューザ構成のときに風量計のある領域でアンバランスが生じる心配はない。これは、各四分割部７２で気流が吹き出しチャネル９０に集中して流れ、タービュレータ１００によって混合されて、チャネルを通る均一な気流の分布が保証されるためである。測定が四分割部ごとに別々になされるため、四分割部間の流れのばらつきは、ディフューザ１２全体でのアンバランスのレベルを示すことになる。これは例えば、ディフューザ１２に通じるエルボに起因する可能性があり、システム１０は、こうしたアンバランスレベルに関連するあらゆる不正確さを補償することができる。各四分割部７２の気流測定値は正確になるため、システム１０によって測定される総気流も正確になる。従来の気流フードは、信号差圧測定とともに平均化ピトー管を使用するため、これらのアンバランスを検出することも補償することもできない。
【００６５】
システム１０の精度をさらに向上させるために、スマート装置２６によって実行されるアプリケーションを、試験中の異なる構成のディフューザおよびＨＶＡＣシステムに対して風量計５０によって実現される異なる逆流を補償するように適合させることができる。これを行うために、気流ベンチテストによって補償係数を決定することができる。気流ベンチは、様々なディフューザ構成の各々を通る既知の体積流量で空気を吐出するように構成することができる。この既知の流量を、風量計５０で測定される流量と比較することができ、この誤差を用いて、スマートデバイスのアプリケーションにプログラムされる補償係数を生成することができる。この試験を繰り返して、信頼性を確立あるいは、ディフューザに至るダクト内のすべてのエルボに対する補償、エルボとディフューザとの間の距離などの他の要素を考慮することができる。
【００６６】
これらの要素はいずれもスマートアプリケーションにプログラムすることができる。使用時、ユーザー３０は、スマートデバイス２６上のアプリケーションで、ディフューザのタイプと、エルボ距離などの追加の情報を、アプリケーションのグラフィカルユーザインターフェース（ＧＵＩ）で選択するだけでよい。アプリケーションは、センサ１２０から得られる示度に適切な補償係数を適用することによって、これらの要素を考慮することになる。
【００６７】
さらに、スマートデバイス上にアプリケーションを実装することで、どの気流（すなわち、どのディフューザ１２）をどの順序で測定するのか、システムのバランシングのために各ディフューザのダンパーをどのように調整するのかといったことをユーザー３０に示す予測バランシングアルゴリズムなど、さらなる効率化が可能になる。これを行うために、ＶＡＣシステムの所与の部屋におけるディフューザ１２あるいは所与の枝管用のディフューザ１２の数とタイプ、各ディフューザのエルボの距離に関する情報など、ＧＵＩによってＨＶＡＣシステム情報を入力するようユーザー３０に照会することができる。この情報が与えられると、アプリケーションを実行するスマートデバイス２６は、ユーザー３０に、最も正確かつ時間効率の良い方法でシステムをどのようにバランシングするかに関する指示をステップバイステップで与えることができる。
【００６８】
システム１０の有効性を説明するために、図１２Ａから図１２Ｄでは、従来技術の気流フード（図１２Ａおよび図１２Ｂ）と風量計５０（図１２Ｃおよび図１２Ｄ）の数値流体力学（ＣＦＤ）モデリングを用いて得られた流れのパターンと速度ベクトルを比較し、対比する。図１２Ａから図１２Ｄにおいて、ＣＦＤモデリングでは、気流をベクトル矢印で示す。ベクトルの矢印が指す方向は、モデル化された気流の方向である。ベクトル矢印のサイズは、気流の速度を示す。特定領域におけるベクトル矢印の密度は、その領域におけるモデル化された気流の密度または集中度合いを示す。
【００６９】
図１２Ａを参照すると、従来の気流フードＨは、３円錐正方形４方向ディフューザ１２ａ（図１１Ａ参照）の外側に配置されている。この例では、気流は、フードＨの外壁Ｗに沿って、図１２ＡにＡで大まかに示す領域に集中する。これらの領域Ａでは、集中した気流が、気流フードＨのスロートＴに向かって壁Ｗに沿って流れる。さらに、フードの中央領域では、Ｂで示す領域で気流の集中が少ないが、それでも依然としてスロートＴに向かって流れている。フードの上部領域では、Ｃで大まかに示す領域において、ＣＦＤモデルの上向きに渦を巻く矢印で示すように、気流は再循環するか渦を巻く傾向がある。スロートＴまたはその付近では、流れは、Ｃで大まかに示す領域において、太く濃い矢印の集まりで示すように、壁Ｗに沿ってかなり集中している。
【００７０】
このことから、３円錐正方形４方向ディフューザ１２ａ上の従来の気流フードＨでは、フードの上部中央領域Ｃ内で渦を巻くことにより、フードの中央部分Ｂを通る気流の集中が少なく、スロートＴを通って全体的に壁Ｗに沿ってバルク気流が生じることが理解されよう。フード全体の平均速度を測定することを想定した平均化ピトー管マノメータが、図１２Ａに示す非常に不均一な気流パターンの速度を正確に測定することは考えにくい。
【００７１】
さらに、フードＨの上部領域Ｃにおける渦と再循環は、レジスタ１２ａを通る流れを抑制し、これがＨＶＡＣシステムにおける背圧の上昇を引き起こす。増加した背圧は、レジスタ１２ａを通る流れと気流フードＨを通る流れを減少させることになる。したがって、従来の気流フードＨは、フードを通る不均一な流れのパターンの影響を被るだけでなく、それを用いることに起因する流れの減少の影響も被る。このため、従来の気流フードＨを用いて得られる測定の精度と再現性は疑わしい。
【００７２】
これらの問題は、他のレジスタタイプに従来の気流フードを使用する場合にも存在する。図１２Ｂを参照すると、従来の気流フードＨは、正方形の一方向ディフューザ１２ｉ（図１１Ｉ参照）の外側に配置されている。この例では、気流は、図１２ＢにＡで大まかに示す領域に示されるように、一方向ディフューザ１２ｉが空気を送るフードＨの外壁Ｗに沿って集中している。Ｂで大まかに示すように、スロートＴに向かう気流の集中が少ない領域があるが、この領域は小さく不規則である。Ｃで大まかに示すように、渦と再循環が生じる多くの領域がある。Ｄで大まかに示すように、スロートＴまたは付近では、気流は、壁Ｗ、特にバルク気流Ａが生じる壁に沿って極めて集中する。
【００７３】
ここから、正方形の一方向ディフューザ１２ａは、従来の気流フードＨの１つの壁Ｗに沿ってバルク気流を送るともに、フード全体にかなりの渦と再循環を生じることが理解されるであろう。このシナリオでは、平均化ピトー管マノメータが図１２Ｂに示す非常に不均一な気流パターンの速度を正確に測定する可能性は低く、かなりの渦と再循環が背圧を増加させることになり、これが気流フードＨを通る流れを減少させてしまう。繰り返すが、従来の気流フードＨを用いて得られる測定の精度および再現性は疑わしい。
【００７４】
様々なディフューザ構成によって生じる流れのプロファイルと背圧の差を考慮すると、図１２Ａと図１２Ｂを比較すれば、従来の気流フードＨで正確かつ信頼できる気流測定値を提供するのが困難であることが容易にわかる。現在の風量計５０は、これらの問題を克服する。
【００７５】
図１２Ｃおよび図１２Ｄは、図１２Ａおよび図１２Ｂに示すシナリオに対応するシナリオで実施される風量計５０のＣＦＤモデルを示す。図１２Ｃおよび１２Ｄに示すように、フード１５０が存在することで、風量計フード５２の上部６０における気流が流線形になり、渦と再循環が抑制または防止される。フード１５０は、流線状の気流を横方向に四分割部７２に送った上で、この気流を吹き出しチャネル９０に送る。
【００７６】
４方向レジスタ１２ａ（図１２Ｃ）の場合、気流は、４つの四分割部７２すべてに対して実質的に等しい流量で風量計フード５２に吐出される。風量計フード５２の外壁に沿って、気流は、図１２ＣにＦで特定される領域で大まかに示すように集中する傾向にあるが、タービュレータ１００が存在するため、吹き出しチャネル９０に入る気流を混合する乱流が生じる。図１２Ｃに示すように、吹き出しチャネルの気流ベクトルは、風量計フード５２の様々な領域における大きさ、方向、密度の点で均一である。フード５２内には渦や再循環があったとしてもほとんどなく、吹き出しチャネル９０内の流れは極めて均一である。したがって、吹き出しチャネル９０に配置されるセンサプローブ（図示せず）からは、風量計５０を通る気流を計算するために合算可能な実質的に等しい測定値が得られる。風量計５０の測定値は正確であり、測定値が正確であるため、気流の計算値も正確かつ再現可能になる。
【００７７】
一方向レジスタ１２ｉ（図１２Ｄ）は、風量計５０の精度に大きく影響しない。気流は、不均等な流量で風量計フード５２に吐出され、壁の１つと２つの四分割部７２（そのうち１つを図１２Ｄに示す）に向かって斜めに向けられる。したがって、気流は吹き出しチャネル９０内で不均一に分布する。図１２ＤのＦで特定される領域で大まかに示すように、気流はディフューザ１２ｉの強い側の風量計フード５２の外壁に沿って集中する傾向がある。さらに、この側面には、図１２ＤのＦで特定される領域で大まかに示すように、フード１５０の下にいくらかの再循環がある。しかしながら、タービュレータ１００が存在するため、吹き出しチャネル９０に入る流れを混合する乱流が生じる。繰り返すが、各吹き出しチャネル９０における流れは、不均一であっても実質的には均一である。吹き出しチャネル９０に配置されたセンサプローブ（図示せず）の測定値は、等しくはないが正確であり、測定値が正確であるため、気流の計算値も正確で再現可能になる。
【００７８】
本発明の上記の説明から、当業者は、改良、変更、改変を認識するであろう。当業者の範囲内であるこれらおよび他の同様の改良、変更、改変は、添付の特許請求の範囲によって包含されることが意図される。
【図１】
2018511790.tif 000004
【図２】
2018511790.tif 000005
【図３】
2018511790.tif 000006
【図４】
2018511790.tif 000007
【図５】
2018511790.tif 000008
【図６】
2018511790.tif 000009
【図７】
2018511790.tif 000010
【図８】
2018511790.tif 000011
【図９】
2018511790.tif 000012
【図１０】
2018511790.tif 000013
【図１１Ａ】
2018511790.tif 000014
【図１１Ｂ】
2018511790.tif 000015
【図１１Ｃ】
2018511790.tif 000016
【図１１Ｄ】
2018511790.tif 000017
【図１１Ｅ】
2018511790.tif 000018
【図１１Ｆ】
2018511790.tif 000019
【図１１Ｇ】
2018511790.tif 000020
【図１１Ｈ】
2018511790.tif 000021
【図１１Ｉ】
2018511790.tif 000022
【図１１Ｊ】
2018511790.tif 000023
【図１２Ａ】
2018511790.tif 000024
【図１２Ｂ】
2018511790.tif 000025
【図１２Ｃ】
2018511790.tif 000026
【図１２Ｄ】
2018511790.tif 000027
【国際調査報告】
2018511790.tif 000028
2018511790.tif 000029
2018511790.tif 000030
2018511790.tif 000031